(57)【要約】      （修正有）【課題】一定大きさの画面を有するＬＥＤモニターを基準モニターとして用い、設置するＬＥＤモニターの画面の大きさを所望の大きさに設定したり変更することができ、また、基準モニターの設置台数を観る人の数等に合わせて増減することができるモジュール式のＬＥＤモニターを提供する。【解決手段】所要画素数のＬＥＤにより形成した一定大きさの画面を備えるＬＥＤモニターの少なくとも２台と、ＬＥＤモニターにＤＶＩ又はＨＤＭＩ（登録商標）接続されるコントロールボックス４を少なくとも備え、ＬＥＤモニターを基準モニターＢＭとして単独で作動させるか、又は基準モニターの少なくとも２台を並列して作動させるようにコントロールボックスに接続して設置する、若しくは基準モニターの少なくとも２台を機械的・電気的に相互に結合し、１台のＬＥＤモニターとして作動させるようにコントロールボックスに接続して設置する。【選択図】図３
0003214617.tif 000002
【実用新案登録請求の範囲】
【請求項１】
所要画素数のＬＥＤにより形成した一定大きさの画面を備えるＬＥＤモニターの少なくとも２台と、前記ＬＥＤモニターにＤＶＩ又はHDMI（登録商標）接続されるコントロールボックスを備えるモジュール式ＬＥＤモニターであって、前記ＬＥＤモニターを基準モニターとして当該基準モニターの１台を単独で作動させるように前記コントロールボックスに接続して配置すること、又は前記基準モニターの少なくとも２台を並列して作動させるように前記コントロールボックスに接続して配置すること、若しくは前記基準モニターの少なくとも２台を機械的・電気的に相互に結合し１台のＬＥＤモニターとして作動させるように前記コントロールボックスに接続して配置することのいずれかを選択して設置することを特徴とするモジュール式ＬＥＤモニター。
【請求項２】
複数台の基準モニターを機械的・電気的に結合して１台のＬＥＤモニターとして作動させる一定大きさの画面を備える基準モニターは、その３台以上を機械的・電気的に結合してコントロールボックスに接続して駆動することにより、１台の大型ＬＥＤモニターとして作動させる請求項１のモジュール式ＬＥＤモニター。
【請求項３】
基準モニター同士の機械的結合は基準モニターのケースである筐体の側面同士を機械的に結合し、基準モニター同士の電気的結合は、ＬＥＤ作動制御回路の電力系、制御系において結合する請求項１又は２のモジュール式ＬＥＤモニター。
【請求項４】
前記基準モニターに隣接してスピーカユニットを配置し、該スピーカユニットを前記コントロールボックスに接続する請求項１〜３のいずれかのモジュール式ＬＥＤモニター
【請求項５】
コントロールボックスは、1台または少なくとも2台を備える請求項１〜４のいずれかのモジュール式ＬＥＤモニター。
【請求項６】
コントロールボックスは、少なくとも８チャンネルの出力端子を備えた請求項１〜５のいずれかのモジュール式ＬＥＤモニター
【請求項７】
出力端子は、複数台の基準モニターを機械的・電気的に結合して１台のＬＥＤモニターとして作動させる出力端子、複数台の基準モニターを夫々に独立してＬＥＤモニターとして作動させる出力端子、１台の基準モニターを１台のＬＥＤモニターとして作動させる出力端子を備えた請求項６のモジュール式ＬＥＤモニター
【考案の詳細な説明】
【技術分野】
【０００１】
本考案は、複数個のＬＥＤ（Light Emitting Diodeの略、以下、同じ）を画素（又は絵素、以下同じ。）として形成した１つの表示画面（以下、モニターともいう）を、設置する表示画面の単位モジュール（Module）として用い、2種類以上の大きさの表示画面の設置や複数の表示画面の設置に対応できるように形成したモジュール式ＬＥＤモニターに関する。
【背景技術】
【０００２】
従来からＬＥＤを表示画面の画素に用いたモニター（以下、ＬＥＤモニターという）は、特許文献１〜３などにより公知である。従来のＬＥＤモニターは、様々な表示画面の大きさに形成された１台のＬＥＤモニターに、フルカラーの動画や静止画などを表示するものであるから、そのＬＥＤモニターの設置形態は、表示画面の大きさを選択するとワン・パターンしかない。
【０００３】
すなわち、例えば街頭などで大勢の人に表示画面を観てもらうために設置される大画面のＬＥＤモニターは、表示画面を例えば縦横が５〜２０ｍ程度の大型画面に形成し、設置場所の広さや高さ等の空間的条件や通行人（観る人）の数や年齢層等を考慮した人的条件に適合するように選択した１台のＬＥＤモニターとして設置される。
また、例えば集会場などのように不特定の多数の人が出入りする屋内に設置されるＬＥＤモニターは、設置場所の広さや観る人からの距離などを考慮した、例えば縦横が３〜５ｍ程度の中型画面の１台のＬＥＤモニターとして設置される。
【０００４】
上記のように従来のＬＥＤモニターは、設置に際して画面の大きさが予め選択された１台のＬＥＤモニターであったから、一旦設置されると、後から表示画面を大きくしたり、ＬＥＤモニターの設置台数を増やしたりすることに対応することは不可能か、又は改めて設置をやり直さざるを得なかった。
【０００５】
しかし、ＬＥＤモニターの画面の大きさが一定の画面であっても、設置に際して画面の大きさを自由に設定したり、或はＬＥＤモニターの設置台数を観る人の数に合わせて選択することができると、いつでもモニターを設置する場所の条件や観る人の数の多寡等の設置環境に対応した画面の大きさや台数のＬＥＤモニターを設置できることになるので、設置効率が良好で高い表示効果が得られるＬＥＤモニターを設置できることになって便利である。さらにＬＥＤモニターの設置後に画面の大きさを変更したり設置台数を変更できればなお利便性が高い。
【先行技術文献】
【特許文献】
【０００６】
【特許文献１】特許第３６４１７４５号公報
【特許文献２】特開２０１３−７４１８６号公報
【特許文献３】特開２００７−２４８９８１号公報
【考案の概要】
【考案が解決しようとする課題】
【０００７】
本考案は、一定大きさの画面を有するＬＥＤモニターを用いて、設置するＬＥＤモニターの画面の大きさを所望の大きさに設定したり変更することができ、また、前記ＬＥＤモニターの設置台数を観る人の数等に合わせて増減することができるようにしたモジュール式のＬＥＤモニターを提供することを、課題とする。
【課題を解決するための手段】
【０００８】
上記課題を解決することを目的としてなされた本考案の構成は、所要画素数のＬＥＤにより形成した一定大きさの画面を備えるＬＥＤモニターの少なくとも２台と、前記ＬＥＤモニターにＤＶＩ又はHDMI（登録商標）接続されるコントロールボックスとを少なくとも備えており、前記ＬＥＤモニターの1台を基準モニターとし当該基準モニターを単独で作動させるか、又は前記基準モニターの少なくとも２台を並列して作動させるように前記コントロールボックスに接続して設置すること、若しくは前記基準モニターの少なくとも２台を機械的・電気的に相互に結合し、１台のＬＥＤモニターとして作動させるように前記コントロールボックスに接続して設置することを特徴とするものである。（上記において、ＤＶＩはDigital  Visual  Interfaceの略、HDMI（登録商標）はHigh-Definition  Multimedia  Interfaceの略、以下同じ。）
【０００９】
本考案において、複数台が機械的・電気的に相互に結合されて１台のＬＥＤモニターとして作動させる一定大きさの画面を備える基準モニターは、その1台をモジュールとして２台〜４台、若しくは５台以上を機械的・電気的に結合して1台のＬＥＤモニターとしてコントロールボックスに接続し駆動することができる。こうすると、設置に際して、或は設置した後に複数台の基準モニターを結合して１台の大型ＬＥＤモニターに形成でき、これを1台のＬＥＤモニターとして設置、作動させることができる。基準モニター同士の機械的結合は基準モニターのケースである筐体の側面同士を分離可能に機械的に結合し、基準モニター同士の電気的結合は、夫々のＬＥＤ作動制御回路を電力系、制御系において結合する。
【００１０】
本考案では、前記基準モニターの複数台と1台の前記コントロールボックスで、1台の前記基準モニターを前記コントロールボックスに接続して1台のＬＥＤモニターとして設置したり、複数台の前記基準モニターを並べて配置し各基準モニターを前記1台のコントロールボックスに接続して複数台のＬＥＤモニターとして設置することを、選択することができる。
【００１１】
本考案ＬＥＤモニターは、前記基準モニターに隣接してスピーカユニットを配置し、該スピーカユニットを前記コントロールボックスに接続して駆動することができる。こうすることにより、ＬＥＤモニターに表示される画面に同期した音声情報をその画面を見ながら聴取できる。
【００１２】
コントロールボックスは、その出力端子に一例として少なくとも４チャンネル、多い場合は８チャンネルまたはそれ以上のＬＥＤモニター用の出力端子を備え、入力端子は少なくとも２系統のＤＶＩまたはHDMI（登録商標）端子を備えたものであるが、ＬＡＮ端子やシリアル（ＲＳ−２３２Ｃ）端子やＵＳＢポートを備えたものもある。上記入力端子は一例であって上記以外の入力端子を備えていてもよい。
【００１３】
そして、前記コントロールボックスの出力端子には、一例として複数台の基準モニターを機械的・電気的に結合して１台のＬＥＤモニターとして作動させる出力端子、複数台の基準モニターを夫々に独立してＬＥＤモニターとして作動させる出力端子、１台の基準モニターを１台のＬＥＤモニターとして作動させる出力端子が配置されている。上記出力端子の態様は一例であって、上記以外の出力端子があってもよい。
【考案の効果】
【００１４】
本考案は、複数台の基準モニターと少なくとも1台のコントロールボックスにより、前記基準モニターの１台を単独で作動させるか、又は前記基準モニターの少なくとも２台を並列して作動させるように前記コントロールボックスに接続して設置すること、若しくは前記基準モニターの少なくとも２台を機械的・電気的に相互に結合し、１台のＬＥＤモニターとして作動させるように前記コントロールボックスに接続して設置することを、選択できるようにしたものである。
【００１５】
従って本考案によれば、基準モニターを1台用いる標準的ＬＥＤモニター、又は前記基準モニターをモジュールとして複数台を機械的・電気的に結合して形成した1台の大画面ＬＥＤモニター、或は複数台の前記の基準モニターを併設したワイド空間向けのワイド設置タイプの複数台並設ＬＥＤモニターの中から、ＬＥＤモニターを設置したい場所の空間条件や設置条件に応じた構成のＬＥＤモニターを選択し、柔軟かつ迅速に設置して利用することができる。さらに本考案ＬＥＤモニターは、基準モニターをモジュール式で機械的・電気的に結合したりその結合を解いたりできるから、設置後に画面を大きくしたり小さくしたり、或は設置台数を増やしたり減らしたりすることに容易に対応できる。
【図面の簡単な説明】
【００１６】
【図１】基準モニターの一例の正面図。
【図２】図１の基準モニターを単独で標準的ＬＥＤモニターとして使用する例の概念的ブロック図。
【図３】２台の図１の基準モニターを１台の大画面ＬＥＤモニターとして使用する例の概念的ブロック図。
【図４】3台の基準モニターを並設し、平行して動作させるワイド設置タイプの概念的ブロック図。
【考案を実施するための形態】
【００１７】
図１は、本考案のモジュール式ＬＥＤモニターにおける基準モニターＢＭの一例の正面図で、図１の例では、前面を略全面開口した浅底ケース状の筐体１に、一例としてＲＧＢのＬＥＤを１画素とし、その複数個を配列して形成したＬＥＤユニット２の２５個をこの筐体１の開口面に配置して、本考案ＬＥＤモニターのモジュール（基準）となる基準モニターＢＭを形成している。
【００１８】
前記筐体１は、左右の側面に、工事現場を囲う仮囲いパネルの支持体である建地単管などの柱状の縦向き支持部材（図示せず）に取付けた上向き爪付きクランプが備えた前記上向き爪に係合することにより、当該筐体1を支持するための縦向き穴部3ａを備えた支持部３を、ここでは着脱自在に備えている。着脱自在であるのは筐体1同士の密接結合の邪魔にならないようにするためである。
また、前記筐体１の４つの側面（上下側面と左右側面）には、筐体同士を左右方向又は上下方向において可能な限り密接して機械的に接合するための、図示しないが、各側面に沿った向きの係合用の舌片部と該舌片部の舌片を係合して支持する係合部とが設けられている。舌片部と係合部の例として、面ファスナの雌雄部材や、板状係止片と該係止片が挿入係止される横向きスリット状の穴などがある。
【００１９】
例えば、図１の筐体１の上側面と右側面には、係合用の舌片部１Ａが配置されると共に、該筐体１の下側面を左側面には前記舌片部１Ａに対応した係合部１Ｂが、筐体１同士を上下方向又は左右方向に機械的に結合するための結合手段の例として設けられている。なお、筐体１同士の機械的結合は、前記結合と一緒に、又は別に当該筐体１の背面において結合用の金属製等の帯材やバンド等によって純機械的に結合してもよい。
【００２０】
上記構成により、同じ結合手段を備えた２個以上の筐体１を、左右方向、又は上下方向、或いはこれらの両方向において機械的に結合することができる。結合に際しては前記支持部３を取り外しておく。
【００２１】
以上における1個の筐体１は、この実施例においては、それぞれ２５個のＬＥＤユニット２を備えて1台の基準モニターＢＭを形成しているから、２台の基準モニターＢＭを前記結合手段によって機械的に接合すると、図３に例示する外観の画面の大きさが基準モニターＢＭの２倍になった大画面の本考案ＬＥＤモニターＬＭ２の一例を形成することができる。図示しないが、４台の基準モニターＢＭを略十字状に並べて前記結合手段（１Ａ，１Ｂ）によって相互に結合し、あたかも１台に見える大画面ＬＥＤモニターに形成することもできる。大画面の本考案ＬＥＤモニターは、基準モニターＢＭを６台、８台、９台、１０台、又はそれ以上の台数を結合して構成することができ、何台の基準モニターで本考案ＬＥＤモニターに形成するかは任意である。
【００２２】
機械的に結合される上記した複数台の基準モニターＢＭは、各基準モニターＢＭが備えるＬＥＤユニットに関して接続され１つの表示画面として機能するように電気的に結合されている。
【００２３】
上記基準モニターＢＭにおいて、1台で標準的ＬＥＤモニターとして使用する図２の基準モニターＢＭ、或いは複数台が平行して作動する図４の基準モニターＢＭ，もしくは複数台が結合されて1台のＬＥＤモニターとして機能するようにした図３の基準モニターＢＭは、いずれも、電源回路や入力信号の信号処理部を筐体１の内部に備えている点において共通している。
【００２４】
図において、４はコントロールボックスで、例えば、コンテンツの複数の映像信号による入力信号を切り換えるスイッチ機能部、前記入力信号を表示画面サイズに合わせた映像信号に変換するスケーリング機能部を備える入力信号処理部４ａと、映像信号と制御信号を分配し、前記コンテンツの解像度の高い映像出力をする映像信号出力部４ｂを、少なくとも備えたものであり、前記入力信号処理部４ａは、コンピュータ等の映像出力機器から供給されるコンテンツのＤＶ１又はHDMI（登録商標）出力の入力端子を備え、また映像信号出力部４ｂは、少なくとも３チャンネルの出力端子を備えているものとする。４ｃはコントロールボックス４と基準モニターＢＭとの接続コードである。
本考案においては、ＬＥＤモニターに表示したいコンテンツである動画や静止画等の情報を予め電子記録媒体に記録しておき、この電子記録媒体の記録を前記コントロールボックス４へ供給する入力形態、或は携帯端末の画面情報（動画、静止画）をそのまま有線又は無線でコントロールボックス４へ供給する形態もある。
【００２５】
５は、図の例では、前記基準モニターＢＭの上方に配置したスピーカユニットであり、入力映像信号が音声信号を伴うときにはその音声信号を、またはコントロールボックス４に接続されたマイクロホン（図示せず）を経由して音声信号が入力されるとこの音声信号をこのスピーカユニット５のスピーカー（図示せず）から音声として出力するためのものである。
このスピーカユニット５は、前記基準モニターＢＭ、コントロールボックス４と同様に電源部を内蔵している。図の例では、基準モニターＢＭの電源部から電源を取っているので、図示した実施例の本考案ＬＥＤモニターは、基準モニターＢＭごとにスピーカユニット５を備えている。５ａはスピーカユニット５と基準モニターＢＭを繋ぐ接続コードである。以上により、図２〜図４に例示した本考案ＬＥＤモニターＬＭ１，ＬＭ２，ＬＭ３を形成する。
【００２６】
図２〜図４に例示した本考案ＬＥＤモニターＬＭ１〜ＬＭ３において、図２に示したコントロールボックス４とスピーカユニット５を備えたＬＥＤモニターＬＭ１を標準タイプとすると、図３の本考案ＬＥＤモニターＬＭ２は、表示内容が多くて図１の標準タイプの画面では表示し難かったり、判り難くかった表示を、一画面で表示する場合などに有用である。
一方、図４に示す本考案ＬＥＤモニターＬＭ３は、幅広い場所で大勢の人数がワイドに複数台を設置したＬＥＤモニターの表示やその説明を聞くといった態様での使用に好適な例である。
【００２７】
本考案は、所要画素数のＬＥＤにより形成した一定の大きさの画面を備えるＬＥＤモニターの少なくとも２台と、前記ＬＥＤモニターにＤＶＩ又はHDMI（登録商標）接続される少なくとも1台のコントロールボックスを少なくとも備えてなり、前記ＬＥＤモニターを基準モニターとして当該基準モニターの１台を単独で作動させるか、又は前記基準モニターの少なくとも２台を並列して作動させるように前記コントロールボックスに接続して配置すること、若しくは前記基準モニターの少なくとも２台を機械的・電気的に相互に接続し、１台のＬＥＤモニターとして作動させるように前記コントロールボックスに接続して配置することにより、標準的なＬＥＤモニターとしての使用に加え、大画面のＬＥＤモニターとして使用したり、標準サイズのモニターの複数台を横幅広い範囲に設置して広い場所で大人数の者に視聴させるＬＥＤモニターとして利用することができる。
本考案では、複数台の基準モニターの上記実施例における2種類又は3種類の設置パターンを同時に実行するために、上記コントロールボックスを2台又は3台備えたものとすることもできる。複数台の基準モニターによる本考案ＬＥＤモニターの設置パターンが4種類以上になる場合に対してはコントロールボックスも配置パターンの種類と同じ台数があるとすべての配置パターンを同時に実行できる。
【００２８】
本考案ＬＥＤモニターは以上の通りであって、特に現場規模が異なる複数の工事現場に対して、夫々の現場規模に適合した画面の大きさや配置パターンを選択してＬＥＤモニターを設置することが可能になるので、複数の現場規模に夫々に対応したＬＥＤモニター設置の要請に好適かつ迅速に適応することができる。
【符号の説明】
【００２９】
ＬＭ１〜ＬＭ３  本考案ＬＥＤモニター
ＢＭ  基準モニター
１  筐体
２  ＬＥＤユニット
３  筐体１の支持部
４  コントロールボックス
５  スピーカユニット
【図１】
0003214617.tif 000003
【図２】
0003214617.tif 000004
【図３】
0003214617.tif 000005
【図４】
0003214617.tif 000006